(57)【要約】【課題】遊技機の奥行きの寸法をコンパクトとし配線等を容易にし、遊技盤下部に電動役物などを配設する余地を設け、さらなる遊技性の向上が望める弾球遊技機を提供する。【解決手段】内枠１２に制御基板ユニット６０が取り付けられている。この制御基板ユニット６０は裏機構盤２６を介することなく内枠１２に取り付ける。制御基板ユニット６０は、制御基板ケースＣである賞球制御基板ケース６１及び電源基板ケース６２と、球通路スペース６３と、球誘導部材６４と、賞球通路６５と、球排出通路６６と、排出口６７と、を一体成形して配設した。【選択図】  図５
2004208737.tif 000002
【特許請求の範囲】
【請求項１】
外枠と、
該外枠に回動自在に取付けられるとともに遊技盤を取付け可能な内枠と、
内枠の背面に取付けられる裏機構盤と、
該裏機構盤の下側に配置され制御基板を収納する制御基板ケースと、遊技球を通過可能なスペースを有する球通路スペースと、を一体成形して配設してなる制御基板ユニットと、
を備えることを特徴とする弾球遊技機。
【請求項２】
前記球通路スペースは前記内枠と前記制御基板ユニットにて形成する請求項１の弾球遊技機。
【請求項３】
前記制御基板が賞球制御基板と電源基板である請求項１乃至３いずれかの弾球遊技機。
【請求項４】
前記制御基板が賞球発射制御基板と電源基板である１乃至３いずれかの弾球遊技機。
【請求項５】
前記制御基板ユニットがケースであり、該ケースに蓋体を持つ請求項１乃至４いずれかの弾球遊技機。
【請求項６】
前記蓋体に基板を取り付ける構成である請求項５の弾球遊技機。
【請求項７】
前記制御基板ユニットの底面及び前記蓋体にて球通路スペースを形成する請求項１乃至６いずれかの弾球遊技機。
【請求項８】
前記球通路スペースの球案内部材の内側に前記制御基板を収納するスペースを有する請求項７の弾球遊技機。
【請求項９】
凹凸型端子にて前記制御基板を接続する構成である請求項８の弾球遊技機。
【請求項１０】
前記制御基板が凸型の端子となる構成である請求項９の弾球遊技機。
【発明の詳細な説明】
【０００１】
【発明の属する技術分野】
本発明は弾球遊技機に関し、詳しくは、裏機構盤の構造に関する。
【０００２】
【従来の技術】
図１５は従来のパチンコ機の裏面を示し（但し、表示装置及び表示制御装置は取り外してある）、遊技盤を脱着可能に取り付ける機構盤が外枠に装着されている。この機構盤には、上方から、扉開放中継基板、球タンク、タンクレール、外部端子板、枠ランプ中継基板、ケースレール、賞球中継基板、球抜き装置、賞球払出装置、中央部に主基板、ランプ制御基板、電源中継基板、球貸し装置、音量切替えスイッチ、音声制御基板を設けている。
機構盤の下部には、電源スイッチとＲＡＭクリアスイッチとを有する電源基板、発射制御基板、下受け皿満杯スイッチ、エラー解除スイッチ、枠中継基板、賞球制御基板が設けられている。
この構成により、遊技盤上の入賞口に遊技球の入賞があれば球タンクからケースレール等を介して所定個数の遊技球を賞球払出装置により上皿に排出することができるようになっている。
以上の通り、従来の遊技機は、遊技盤の裏側に裏機構盤を設け、そこに各制御基板、払出装置等の遊技装置、各入賞口及びアウト口に入球した遊技球を島設備に導くための球通路等が限られたスペースの中で配設されている。
【０００３】
図１６を参照して従来の遊技盤の裏面について説明すると、遊技盤に、中央に特別図柄表示装置を取り付ける貫通孔等の各種の孔を形成し、それらの孔に対応して入賞口スイッチ、第１種始動口スイッチ、入賞口スイッチ、カウント兼役物連続作動スイッチ、カウントスイッチ、普通図柄作動スイッチ、入賞口スイッチを設けている。遊技盤の下部に球集合樋と、球集合樋の下部に接続された排出樋とを設けている。遊技球Ｂは遊技盤の下方から機外に排出される。
【０００４】
他に特許文献１〜３がある。
【特許文献１】特開平３−１８２２８１
入賞球集合樋に電気的制御装置を着脱可能に取り付ける。請求項２に入賞球集合樋に開閉可能な蓋体を設け、蓋体と入賞球集合樋の外表面との間に制御基板を収納する空間を形成し、収納する発明が記載してある。
【特許文献２】特開２００１−２０４９３６
球抜樋を挟んで第１の制御基板とは反対側に第２の制御基板が設けられている。段落００１２に、第１および第２の制御基板の少なくとも一方を、裏セット機構板とは別に機枠下部に設けることもできる。また、球抜き樋の形状に合わせて制御基板を配置することにより、遊技機後面のコンパクト化を目指したものである。
【特許文献３】特開２００１−２５９１８３
遊技盤裏面側の下方に設けた入賞球通路に導く入賞球タンクレールの表面側に電子制御基板が装着可能である。
【０００５】
【発明が解決しようとする課題】
しかしながら、従来の技術や特許文献１〜３は、遊技機裏面はほとんどスペースが無い状態で、これ以上の部品を増設するのは困難な状況である。また、集合樋は、遊技盤下部に設けられているため、遊技盤の下部に大入賞口装置以外に電動役物などを設けるスペースがなかった。そのため、遊技盤上部に比して演出上、乏しくならざるを得なかった。
液晶表示装置の拡大化は遊技機の裏面においても、液晶表示装置の占める面積が拡大していくと共に、各種制御基板、配線、球通路などの配置を好適にするため、配置に腐心せざるを得ない。
特に、集合樋においては、遊技領域の広範囲に散在する入賞口およびアウト口を通過してきた球を集合させて島設備に流すために設けられていることから、遊技盤裏面の下部は球通路、集合樋に大きくスペースを取られている。そのためスペースがない。
また、近年の遊技機は複雑な制御が多くなったことから、基板等が大型化及び多数化の傾向にある。そのため、遊技盤裏面に全てを併設するのは事実上困難であり、大体が積層状に配置しなければならず、種々の不都合を生じることがある。
本発明は、これらの課題を好適に解決し、遊技機の奥行きの寸法をコンパクトとし配線等を容易にし、遊技盤下部に電動役物などを配設する余地を設け、さらなる遊技性の向上が望める弾球遊技機を提供することを目的とする。
【０００６】
【課題を解決するための手段及び発明の効果】
前記課題を解決するため請求項１に記載の発明は、外枠と、該外枠に回動自在に取付けられるとともに遊技盤を取付け可能な内枠と、内枠の背面に取付けられる裏機構盤と、該裏機構盤の下側に配置され制御基板を収納する制御基板ケースと、遊技球を通過可能なスペースを有する球通路スペースと、を一体成形して配設してなる制御基板ユニットと、を備えることを特徴とする弾球遊技機とする。
前記球通路スペースは制御基板ユニットの縦方向に貫設されることが好ましい。又、球通路スペースに球抜き用経路を直結した構成であることが好ましい。
裏機構盤の最下部から上の領域に遊技盤を設けることが好ましい。裏機構盤の下端は遊技盤の最下部より多少、下でも構わない遊技盤の最下部から上の領域に裏機構盤を設け、遊技盤の最下部から上の領域に裏機構盤を設けることもある。要は、従来の裏機構盤から下方を省いたことにより、基板ユニットを取付けるスペースを確保できれば良い。
前記制御基板ユニットは、裏機構盤を介することなく、内枠に直接的に取り付けることが好ましい。
【０００７】
請求項１に記載の弾球遊技機によると、制御基板と球通路スペースをユニット化することにより、遊技機の奥行きの寸法をコンパクトにできる。
前記ユニットに電源基板も設けることにより配線が楽になる。
制御基板と集合樋を遊技盤より下方に設けることにより、従来よりも遊技盤下部に電動役物などを配設する余地ができる。
これにより、さらなる遊技性の向上が望める。
【０００８】
前記球通路スペースは内枠と前記制御基板ユニットにて形成する弾球遊技機が好ましい。内枠と制御基板ユニットとがお互いに形状の関連性をもちながら、球通路スペースを形成する構成となり、制御基板ユニットを取り付ける時の位置決めも容易に行うことができる。
【０００９】
前記球通路スペースは前記制御基板ユニットのみにて形成する弾球遊技機が好ましい。制御基板ユニットのみで球通路スペースを形成するため、球通路スペースの形状を変更する際にも、内枠はそのままで制御基板ユニットの形状のみを変更するだけであるので、変更が容易である。
【００１０】
前記制御基板が賞球制御基板と電源基板である弾球遊技機が好ましい。前記制御基板が収容されることになる制御基板ユニットが取り付けられる位置に相当する箇所にあるのは、従来の遊技機では賞球制御基板と電源基板であるため、この２つの基板で制御基板ユニットを形成することが従来と最も変化が少なく済むためである。
【００１１】
前記制御基板が賞球発射制御基板と電源基板である弾球遊技機が好ましい。前記制御基板が収容されることになる制御基板ユニットが取り付けられる位置に相当する箇所には、従来の遊技機では発射制御基板もあることから、賞球制御基板と発射制御基板を１つにした統合基板を用いることにより、更に取り付け行程のコンパクト化ができる。
【００１２】
前記制御基板ユニットがケースであり、該ケースに蓋体を持つ弾球遊技機であることが好ましい。
【００１３】
前記蓋体に基板を取り付ける構成である弾球遊技機が好ましい。
【００１４】
前記制御基板ユニットの底面及び前記蓋体にて球通路スペースを形成する弾球遊技機が好ましい。蓋体により球通路スペースを形成するため、蓋体の形状を変更するだけで球通路スペースの形状も変更することが可能となる。
【００１５】
前記球通路スペースの球案内部材の内側に前記制御基板を収納するスペースを有する弾球遊技機が好ましい。球通路スペースの案内部材の内側に制御基板を収納するため、更にユニットのコンパクト化を図ることができる。
【００１６】
凹凸型端子にて前記制御基板を接続する構成である弾球遊技機が好ましい。
【００１７】
前記制御基板が凸型の端子となる構成である弾球遊技機が好ましい。
【００１８】
特許文献１の図１９と対比すると、一見、技術的思想が類似しているようにもみえる。しかし、その請求項１には「〜、前記遊技盤の裏面側には入賞球を回収して所定位置へ導く入賞球集合樋〜」とある。本発明の場合は遊技盤の下に球通路スペースを配設する。これにより遊技盤の裏面、特に、下方の集合樋に使用されていたスペースを不要とし、従来、困難だった遊技盤下方の役物の配設などを可能とすることができる。
特許文献２は、見方によっては制御基板と制御基板の間の空間が球抜き樋として形成されるとも取れる。しかし、樋と制御基板ケースを一体に設ける思想ではない。
特許文献３と本願発明とは、一体成形、配設位置などの違いがある。
【００１９】
【発明の実施の形態】
以下に、本発明の好適な実施形態の一つについて図面を参照して説明する。尚、本発明の実施の形態は、下記の実施形態に何ら限定されるものではなく、本発明の技術的範囲に属する限り、種々の形態を採り得ることは無論である。
【００２０】
［実施形態］
図１に示すように、本実施形態のパチンコ機１０は、大きくは長方形の外枠１１と内枠１２とからなり、外枠１１の左隣に公知のカードリーダ（以下、プリペイドカードユニットともいう。）１３が設けられている。内枠１２は、左端上下のヒンジ１４により外枠１１に対し回動可能に取り付けられている。
内枠１２の下方には上皿１５が設けられ、この上皿１５に貸出釦１６、精算釦１７及び残高表示部１８が設けられている。カードリーダ１３のカード口１９にプリペイドカードを挿入すると、記憶された残高が残高表示部１８に表示され、貸出釦１６を押下すると遊技球の貸出しが実行され上皿１５の払い出し口より遊技球が排出される。
内枠１２には、窓状の金枠２０が内枠１２に対して解放可能に取り付けられている。この金枠２０には板ガラス２１が二重にはめ込まれている。板ガラス２１の奥には遊技盤２２が収納されている。
上皿１５の内枠１２下部には、下皿２３が設けられ、下皿２３の右側には発射ハンドル２４が取り付けられている。この発射ハンドル２４の外周には、図示しない回動リングが擁され、時計方向に回動すれば遊技球を遊技盤２２上に発射することができる。
上皿１５と下皿２３とは連結されていて、上皿１５が遊技球で満杯状態になれば下皿２３に遊技球を誘導するよう構成されている。
【００２１】
遊技盤２２を脱着可能に取り付ける裏機構盤２６が外枠１１に収納されている（図４等参照）。この裏機構盤２６には、上方から、球タンク２７、タンクレール２８及び払出装置２９等が設けられている。この構成により、遊技盤２２上の入賞口に遊技球の入賞があれば球タンク２７からタンクレール２８を介して所定個数の遊技球を払出装置２９により前述した上皿１５に排出することができる。裏機構盤２６等の構造についての詳細は後述する。
【００２２】
次に図２を用いて遊技盤２２について説明する。
図２に示すように遊技盤２２には、中央に特別図柄表示装置３２を構成するＬＣＤパネルユニット（以下、「ＬＣＤ」という。）３２ａ、その下部に第１種始動口としての普通電動役物３６、ＬＣＤ３２ａ上部の普通図柄表示装置３７、普通図柄表示装置３７に表示される図柄の変動開始に用いられるＬＣＤ３２ａの左右の普通図柄作動ゲート３８及び３９、普通電動役物３６下部に配置し入賞口４０ｅ，４０ｆを有する大入賞口４０、ランプ風車４１，４２、サイドランプ４３，４４の近くに配置した入賞口４５ａ，４５ｂ、盤面最下部のアウト口４６、その他の各種入賞口、風車及び図示しない遊技釘等が備えられている。
この構成により、発射ハンドル２４を回動すれば発射制御基板３３により駆動される発射装置３３aが駆動されて上皿１５上の遊技球がガイドレールを介して遊技盤２２上に発射される。発射された遊技球が各入賞口に入賞すれば遊技球は盤面裏面にセーフ球として取り込まれ、入賞しなければアウト口４６を介してアウト球として同様に盤面裏面に取り込まれる。
【００２３】
続いて前述したパチンコ機１０の電気的構成を図３のブロック図を用いて説明する。
パチンコ機１０の電気回路は、図示するように、前述した主制御基板３０、賞球制御基板３１、特別図柄表示装置３２、発射制御基板３３、ランプ制御基板３４、音制御基板３５、前述したプリペイドカードユニット１３及びＣＲ精算表示基板４７等から構成されている。尚、この回路図には、信号の受け渡しを行うための所謂中継基板等は記載していない。
【００２４】
主制御基板３０は、遊技制御プログラムを記憶したＲＯＭ及び演算等の作業領域として働くＲＡＭを内蔵した８ビットワンチップマイコンを中心とした論理演算回路として構成され、この他各基板又は各種スイッチ類及び各種アクチェータ類との入出力を行うための外部入出力回路も設けられている。
主制御基板３０の入力側には、第１種始動口スイッチ３６ａ、普通図柄作動スイッチ３８ａ及び３９ａ、役物連続作動スイッチ（以下、単に「Ｖスイッチ」と呼ぶ。）４０ａ、カウントスイッチ４０ｂ、賞球払出しスイッチ２９a、入賞検出スイッチ４０ｇ，４０ｈ、入賞検出スイッチ４５ｃ，４５ｄ、満タンスイッチ４８、補給スイッチ４９、タッチスイッチ２４a等が接続されている。
また、出力側には、大入賞口ソレノイド４０ｃ、Ｖソレノイド４０ｄ及び普通役物ソレノイド３６ｂ等が接続されている。
【００２５】
第１種始動口スイッチ３６ａは前述した遊技盤２２上の普通電動役物３６内、普通図柄作動スイッチ３８ａ及び３９ａは各々普通図柄作動ゲート３８及び３９内、Ｖスイッチ４０ａは大入賞口４０内の特定領域内、同じくカウントスイッチ４０ｂは大入賞口４０内、入賞検出スイッチ４０ｇ，４０ｈは入賞口４０ｅ，４０ｆ内、入賞検出スイッチ４５ｃ，４５ｄは入賞口４５ａ，４５ｂ内、賞球払出しスイッチ２９ａは払出装置２９内の球切りモータ２９ｂの下方、満タンスイッチ４８は下皿２３内、補給スイッチ４９は球タンク２７内、に各々取り付けられている。ここで、Ｖスイッチ４０ａは大入賞口４０内に入賞した遊技球が特別装置作動領域（以下、「特別領域」という。）を通過したことを、カウントスイッチ４０ｂは大入賞口４０内に入賞する全ての遊技球を、入賞検出スイッチ４０ｇ，４０ｈは入賞口４０ｅ，４０ｆに遊技球が入賞したことを、入賞検出スイッチ４５ｃ，４５ｄは入賞口４５ａ，４５ｂに遊技球が入賞したことを、賞球払出しスイッチ２９ａは球切りモータ２９ｂにより上皿１５に排出される遊技球を、満タンスイッチ４８は下皿２３内に遊技球が満タン状態になったことを、補給スイッチ４９は球タンク２７内に遊技球が存在することを、タッチスイッチ２４aは発射ハンドル２４に内蔵され遊技者が発射ハンドル２４に触れていることを、各々検出するためのものである。
また、出力側に接続された大入賞口ソレノイド４０ｃは大入賞口４０、Ｖソレノイド４０ｄは大入賞口４０内の特別領域、普通役物ソレノイド３６ｂは普通電動役物３６の開閉に各々使用されるものである。
【００２６】
特別図柄表示装置３２は、前述したＬＣＤ３２aと、このＬＣＤ３２aを駆動制御する図柄表示装置制御基板（以下、単に「図柄制御基板」という。）３２b及びバックライト及びインバータ基板等の付属ユニット３２cから構成されている。図柄制御基板３２bは、前述した主制御基板３０と同様８ビットワンチップマイコンを中心とした論理演算回路として構成されている。
【００２７】
賞球制御基板３１は、主制御基板３０からの指令コマンドに従って球切りモータ２９ｂを駆動制御して入賞があった場合に遊技者に賞球としての遊技球を払い出すものであり、マイクロコンピュータを用いた論理演算回路として構成しても良いし、ディスクリートな回路として構成しても良い。この賞球制御基板３１は主制御基板３０からの指令に従って遊技球を払い出すだけであり、入賞に対応した遊技球が払い出されているか否かの検知は主制御基板３０で行われる。
【００２８】
発射制御基板３３は、遊技者が操作する発射ハンドル２４の回動量に応じて発射装置３３ａを駆動制御するものであり、その他、遊技者が発射停止スイッチ２４ｂを押下したとき発射を停止させたり、発射ハンドル２４に内蔵されたタッチスイッチ２４ａがオン状態のときタッチランプ５０を点灯させるものである。
【００２９】
賞球制御基板３１と発射制御基板３３は、それぞれ独立した基板としたが、図３の点線で示す通り、賞球制御基板３１と発射制御基板３３とを統合した賞球発射制御基板５２とする回路構成も可能である。また、各制御基板等に電源を供給する電源基板５３が備えられている。
【００３０】
ランプ制御基板３４は、主としてトランジスタ等の駆動素子から構成されており、主制御基板３０からの指令を受けて普通図柄表示装置３７、大当りランプやエラーランプ等のランプ類及びＬＥＤ等の各種ランプ類を点灯表示させるものである。
【００３１】
音制御基板３５は音源ＩＣ及びアンプ等から構成されており、主制御基板３０の指令を受けてスピーカ５１を駆動制御するものである。
【００３２】
前述した特別図柄表示装置３２、賞球制御基板３１、発射制御基板３３、ランプ制御基板３４及び音制御基板３５への送信は、主制御基板３０からのみ送信することができるよう一方向通信の回路として構成されている。一方向通信の回路に代えて双方向通信の回路とすることもできる。
【００３３】
主制御基板３０には、その他、前述したプリペイドカードユニット１３、ＣＲ精算表示基板４７が接続されている。ＣＲ精算表示基板４７は、前述した上皿１５の貸出釦１６、精算釦１７及び残高表示部１８等から構成されている。
以上説明した回路構成を有するパチンコ機１０が提供するゲーム内容は、従来のものと同様なので説明は略す。
【００３４】
次に図４〜図１０を参照して、パチンコ機１０の裏面構造を詳細に説明する。図４〜図６に示す通り、裏機構盤２６の最下部から上の領域に遊技盤２２を設けている（図５参照）。裏機構盤２６は内枠１２の裏側に形成されている。ロック装置５４及び５５は、内枠１２と外枠１１を脱着自在に係止するものである（図９参照）。内枠１２の下部に球誘導部材６４と、払出装置２９からの賞球を上皿１５に供給し、球誘導部材６４の横に設けた賞球通路５７と、発射ハンドル用孔７５が形成されている（図９参照）。発射装置３３ａは、打撃槌５８を備え、打撃槌５８によって発射された遊技球を遊技盤面に誘導する発射レール５９を内枠１２に備えている。
【００３５】
図４〜図６に示す通り、遊技盤２２及び裏機構盤２６の下部に制御基板ユニット６０が取付けられている。図９の通り、内枠１２の背面側に制御基板ユニット６０が取り付けられている。図９の通り、制御基板ユニット６０は裏機構盤２６を介することなく内枠１２に取り付けることが好ましい。取付け状態を図１０に示す。
制御基板ユニット６０を内枠１２に直接取り付けることによって、機構盤を介さないためそれだけ奥行きへの幅が縮小され、コンパクトに納めることができる。本実施形態のパチンコ機１０においては、制御基板ユニット６０を内枠１２に直接取り付けた構成としたが、従来のように機構盤を介して取り付ける構成でもかまわない。
【００３６】
この制御基板ユニット６０は、単数又は複数（ここでは２個）の制御基板ケースＣの例である賞球制御基板ケース６１及び電源基板ケース６２と、球通路スペース６３と、球誘導部材６４と、球排出通路６６と、排出口６７と、を一体成形して配設したものである。遊技盤２２の下部表側にアウト球経路６８、及び遊技盤２２の裏側にセーフ球経路６９が形成されている（図５参照）。右球誘導部材６４ａと左球誘導部材６４ｂとの間に排出口６７が形成されている。これらのアウト球経路６８及びセーフ球経路６９は遊技盤２２の下部にて合流している。
制御基板ユニット６０の球通路スペース６３は、遊技球Ｂが集合し、１箇所にまとめて排出できるように形成されている。
【００３７】
ところで、図７に示す実施形態は、各種賞球検出手段、各種賞球払出手段を有する構成の遊技機であり、前述の通り、各入賞口は、それぞれ入賞検出スイッチが設けられている。即ち、普通電動役物３６、入賞口４０ｅ，４０ｆ、入賞口４５ａ，４５ｂには、それぞれ、第１種始動口スイッチ３６ａ、入賞検出スイッチ４０ｇ及び４０ｈ、入賞検出スイッチ４５ｃ及び４５ｄが設けてある。遊技盤２２に特別図柄表示装置取付用貫通孔３２ｄ、大入賞口取付用貫通孔４０ｋ、ランプ風車取付用貫通孔４１ａ，４２ａ、サイドランプ・入賞口取付用貫通孔４３ａ，４４ａが設けてある。遊技球Ｂが各入賞検出スイッチを通過すると、入賞の信号が主制御基板３０に送信される。主制御基板３０は入賞の信号を受けると、賞球制御信号を賞球制御基板３１に送信し、受信すると賞球制御基板３１が払出装置２９を作動させて賞球を払い出す構成である。ゆえに、遊技球落下経路Ｒを経て落下する入賞球は、アウト球（球抜き装置により抜かれた球も）と共に（アウト球と区別することなく）そのまま遊技機外へ排出しても良い構成であり、従来のような入賞球の集合樋の下流部に入賞球検出装置を各入賞口・入賞装置毎に設ける必要がなくなる。そのため、前記記載したアウト球経路６８及びセーフ球経路６９（図５参照）を用いない構成も実施可能である。その他、遊技盤面に取り込んだ入賞球を盤面裏面に取り込むための通路の底部Ｔ1〜Ｔ3が、それぞれ、入賞検出スイッチ４５ｃ，４５ｄ、第一種始動口スイッチ３６ａの下側に設けられている。従来の遊技盤裏面に設けた集合樋は無い。底部Ｔ1〜Ｔ3には、従来のような集合樋や通路を設けず、遊技球はそのまま垂れ流す構成となり、遊技球の落下位置に制御基板ユニット６０の球通路スペース６３が設けられていて、セーフ球とアウト球をまとめて一箇所から遊技機外へ排出する構成となっている。
なお、図１５、図１６に示す従来遊技機のように、球通路及び集合樋を設けなくても、裏機構盤２６、主制御基板３０、図柄制御基板３２ｂなどが、遊技球落下可能領域を形成するため、落下途中で遊技球が遊技機外へ漏れる心配のない構造となっている。
【００３８】
この構成により、限られたスペースの中で集合樋への経路を別々に設けたり、遊技球Ｂを一定箇所へ集める必要がなくなったため、遊技盤２２に集合樋を設ける必要性は無く、遊技機外へ１箇所から排出するための球通路スペース６３だけで充分になり、その球通路スペース６３を制御基板ケースＣである賞球制御基板ケース６１及び電源基板ケース６２とユニット化したのである。
【００３９】
図８（ａ）に示す例では、球通路スペース６３は内枠１２と制御基板ユニット６０にて形成している。制御基板ユニット６０を内枠１２に取り付けることにより球通路スペース６３が形成される構成である。
これに代えて、図８（ｂ）に示す例では、球通路スペース６３は、制御基板ユニット６０のみにて形成することもできる。例えば、この図８（ａ）の例に底面板６０ｅを付加した図８（ｂ）に示すものとし、制御基板ユニット６０の底面板６０ｅ、及びケース本体６０ａにて球通路スペース６３を形成している。制御基板ユニット６０の縦方向に球通路スペース６３を貫設したものである。
【００４０】
制御基板ケースＣの例である賞球制御基板ケース６１及び電源基板ケース６２に収納される制御基板Ｋの例は賞球制御基板３１と電源基板５３である。これに代えて、制御基板ケースＣに収納される他の例として制御基板Ｋは賞球発射制御基板５２及び電源基板５３を挙げることができる。
制御基板ユニット６０に設ける制御基板Ｋは複数ではなく、１つのみでも良い。例えば、賞球制御基板３１（又は賞球発射制御基板５２）と、電源基板５３とは必ずセットで取り付ける必要はない。どちらか１つに設けただけの構成でも良い。
電源基板ケース６２の裏面に取り付けられた制御基板Ｋは他の制御基板でもよい。ただし、位置的に可能性の高い賞球制御基板３１、電源基板５３、賞球発射制御基板５２（賞球と発射の制御を統合した基板）が好ましい。
【００４１】
制御基板ユニット６０の制御基板ケースＣの例である賞球制御基板ケース６０及び電源基板ケース６１は、回動自在の蓋体構造である。図１１に示す通り、賞球制御基板ケース６１は、通気孔６１ａを備えた蓋体６１ｂがヒンジ６１ｃでケース本体６０ａに取り付けられているものである。ケース本体６０ａの両端部は折り曲げ部６０ｂ及び６０ｃを備えている。電源基板ケース６２も同様である。
この蓋体６１ｂの裏側面に制御基板Ｋ（賞球発射制御基板５２等）を取り付ける構成である。
制御基板ユニット６０には開閉自在に取り付けられた蓋体である制御基板ケースＣが設けられている。そこに各種制御基板Ｋを収納する。蓋体である制御基板ケースＣに制御基板Ｋを取り付ける理由としては、球通路スペース６３に落下してくる遊技球Ｂによる衝撃を制御基板Ｋに与えないためである。
【００４２】
図１２に示す通り、賞球制御基板ケース６１は、複数の雌ネジ部６１ｆを備えている。賞球制御基板３１は、貫設孔３１ａを有している。ネジ６１ｇで賞球制御基板３１を雌ネジ部６１ｆにネジ止めする構造である。この止着構造は限定されるものではない。
電源基板ケース６２も同様の構造である。
賞球制御基板３１に代えて賞球発射制御基板５２等の他の制御基板Ｋを収容してもよい。
【００４３】
なお、電源基板ケース６２の蓋体に枠中継端子を設けることもできる。図９において、主制御基板３０、図柄制御基板３２ｂ、ランプ制御基板３４、音制御基板３５（ランプ制御基板３４と音制御基板３５とは、音・ランプ制御基板として統合してもよい）は省略してあるが、遊技盤２２の裏側に配置し、裏カバーで覆うことが好ましい。
【００４４】
図５に戻り、裏機構盤２６に払出装置２９、球抜き用経路７８が形成されるほか、主制御基板３０が脱着可能に、遊技盤２２に特別図柄表示装置３２等が各々取り付けられている。その他、裏機構盤２６に図示せぬ扉開放中継基板、外部端子基板、枠ランプ中継基板、ケースレール、賞球中継基板、球抜き装置、主基板、ランプ制御基板、球貸し装置、音量切替えスイッチ、音声制御基板、発射制御基板、下受け皿満杯スイッチ、エラー解除スイッチ、枠中継基板等が設けられている。
【００４５】
図９の通り、払出装置２９の上下には、タンクレール２８からの遊技球Ｂを払出装置２９に供給する上側球通路８０と、払出装置２９からの遊技球Ｂを賞球通路５７に供給する下側球通路８２とが、夫々、設けてある。上側球通路８０と下側球通路８２は、屈曲していることが好ましい。上側球通路８０と下側球通路８２は、払出装置２９と一体化した払出装置ユニット８３として構成されることが好ましい。制御基板ユニット６０に配線孔８４が形成されている。配線孔８４は、制御基板ユニット６０に切り欠きを設けることにより形成されるもので、位置等は特に限定されるものではない。
【００４６】
球抜き装置７９は、球抜き用経路７８を備え、遊技球Ｂをタンクレール２８から払出装置２９に送るため経路上に設けられており、主に遊技機の運搬やパチンコ球の洗浄等を行う場合に経路内部に貯留されている全ての球を抜き取る時に使用するものである。球通路スペース６３に球抜き装置７９の球抜き用経路７８を直結した構成である。操作としては、専用のピンなどを遊技機前面に設けられた球抜き穴に挿入することにより、前記経路から遊技機外に連通する球抜き装置７９に切り換わり排出することができる。これについての詳細は、特開２００２−３１５９２９の従来技術の欄を参照されたい。
【００４７】
以上詳細に説明した本実施形態によれば、制御基板Ｋと球通路スペース６３を遊技盤２２より下方に設け、集合樋を無くすことで、遊技盤２２下部に大入賞口４０以外に電動役物などを配設する余地ができ遊技の演出性が高まる。遊技機裏面のスペースを確保でき、従来以上の部品を増設することが可能である。
液晶表示装置の拡大化にもかかわらず、遊技機の裏面においても、各種制御基板、配線、球通路などの配置についての設計の自由度が高まる。また、制御基板Ｋ等の大型化及び多数化の傾向にも対処できる。
制御基板Ｋと球通路スペース６３をユニット化することにより、遊技機の奥行きの寸法をコンパクトにでき、さらなる遊技性の向上が望める。
制御基板ユニット６０に賞球制御基板ケース６１と電源基板ケース６２とを設けることにより配線が容易になる。
【００４８】
〔変更形態〕
図１３（ａ）に示す変更形態の制御基板ユニット１６０を説明する。この制御基板ユニット１６０は、球通路スペース１６３（球通路スペース６３と同様のもので図示略）の球を中央に集合させるために形成される球誘導部材１６４ａ，１６４ｂに内部空間を備え、内部空間を制御基板Ｋ1，Ｋ2を収納するスペースとすることもある。即ち、制御基板収納スペースも兼ねる球誘導部材１６４ａ，１６４ｂは、空洞部を備え、側面に制御基板Ｋ1，Ｋ2を挿脱する基板入口１６５ａ，１６５ｂを形成したものである。
図１３の変更形態の場合、球通路スペース１６３と制御基板Ｋの収納スペースが同じ奥行き寸法にて収まるため、更なるコンパクト化が可能である。
この場合、図１３（ｂ）に示す通り、制御基板Ｋに凸型端子１７４、基板収納スペースに凹型端子１７６を備えることもある。つまり、凸型端子１７４、凹型端子１７６にて制御基板Ｋを接続する構成である。前記実施形態と対応する要素は１００番台として説明は適宜省略する。球通路スペース１６３を区画する球誘導部材１６４内に制御基板Ｋを収納するスペースを有している。制御基板Ｋが凸型端子となる構成である。
これにより、制御基板Ｋの凸型端子１７４を凹型端子１７６に差し込むだけで容易に電気的接続も行えるようになる。
【００４９】
〔枠構成別の回路の具体例〕
図１４に枠構成別の回路の具体例のブロック図を示す。この回路は図３とは別の回路構成であるが共通する部分は説明を援用する。ここでは、ランプ制御基板３４、音制御基板３５は、外部情報端子２を有する音・ランプ制御基板８５として統合されている。遊技盤２２に音・ランプ制御基板８５、音・ランプ中継基板８６、図柄制御基板３２ｂ、スイッチ中継基板を有する主制御基板３０、分電基板８７等が配置してある。内枠１２に扉開放スイッチ８８及び外部情報端子１を配置している。内枠１２に中継基板８９、精算表示基板４７、スピーカ５１、情報表示基板９０、賞球球切れ表示基板９１等が配置してある。払出装置ユニット８３に球切れ検知スイッチ９２、払出（球切り）モータ２９ｂ、払出検知スイッチ９３、枠中継基板９４等が配置してある。制御基板ユニット６０に賞球発射制御基板５２及びインタフェース基板５３ａを有する電源基板５３が配置してある。電源基板５３は、分電基板８７を介して、主制御基板３０、図柄制御基板３２ｂ、音・ランプ制御基板８５に、また、インタフェース基板５３ａに電源を供給している。扉開放スイッチ８８及び枠中継基板９４が外部情報端子１に接続されている。インタフェース基板５３ａがＣＲユニット１３、精算表示基板４７と接続している。賞球発射制御基板５２は、発射停止スイッチ２４ｂ、タッチスイッチ２４ａ、発射装置３３ａ、満タンスイッチ４８と接続している。主制御基板３０は賞球信号を賞球発射制御基板５２へ出力する。枠中継基板９４は、賞球発射制御基板５２、賞球球切れ表示基板９１、球切れ検知スイッチ９２、払出（球切り）モータ２９ｂ、払出検知スイッチ９３と接続している。中継基板８９は、音ランプ中継基板８６、スピーカ５１、情報表示基板９０と接続している。
なお、外部情報端子１は、扉開放スイッチ８８及び枠中継基板９４からの枠用の賞球信号、球貸し信号、扉開放信号を外部に送信する端子であり、外部情報端子２は、主制御基板３０からの盤用の始動口信号、大当り１信号、大当り２信号、役物回数信号、図柄確定回数信号を外部に送信する端子である。
以上により、賞球発射制御基板５２、電源基板５３は、制御基板ユニット６０に収容されて前記した効果を有する。
【図面の簡単な説明】
【図１】本発明の一実施形態の弾球遊技機を示す外観斜視図である。
【図２】弾球遊技機の遊技盤面の構成を示す正面図である。
【図３】弾球遊技機の電気的構成を示すブロック図である。
【図４】弾球遊技機の裏面図である。
【図５】図４のIII−III断面図である。
【図６】図４のIV−IV断面図である。
【図７】弾球遊技機の裏機構盤を取り外し、遊技盤面の裏側の各種スイッチ、球通路、基板ユニットを示した裏面図である。
【図８】(a)は実施形態の基板ユニットの斜視図、(b)は基板ユニットの他の例の斜視図である。
【図９】実施形態の内枠裏面及び基板ユニットの斜視図である。
【図１０】実施形態の内枠裏面に基板ユニットを取り付けたものを示す斜視図である。
【図１１】(a)は基板ユニットの変形例の斜視図、(b)は同裏面図である。
【図１２】(a)は賞球制御基板の斜視図、(b)は蓋体の裏面側斜視図、(c)は蓋体に賞球制御基板を装着したものについての裏面側斜視図である。
【図１３】(a)は制御基板ユニットの変更形態の斜視図、(b)は制御基板と球誘導部材の嵌め合いを示す説明図である。
【図１４】枠構成別の回路の具体例を示すブロック図である。
【図１５】従来機の遊技機裏面部品配置図である。
【図１６】従来機の遊技機裏面の各種スイッチ、球通路、集合樋等の配置図である。
【符号の説明】
１０・・・パチンコ機  １１・・・外枠  １２・・・内枠
１５・・・上皿  ２２・・・遊技盤  ２３・・・下皿
２４・・・発射ハンドル  ２６・・・裏機構盤
２７・・・球タンク  ２８・・・タンクレール
２９・・・払出装置  ３０・・・主制御基板
３１・・・賞球制御基板  ３２・・・特別図柄表示装置
３２ａ・・・ＬＣＤパネルユニット  ３２ｂ・・・図柄制御基板
３３・・・発射制御基板  ３３ａ・・・発射装置
３４・・・ランプ制御基板  ３５・・・音制御基板
４０・・・  大入賞口  ４６・・・アウト口
４７・・・ＣＲ精算表示基板  ５２・・・賞球発射制御基板
５３・・・電源基板  ５４，５５・・・ロック装置
５７・・・賞球通路  ５８・・・打撃槌
５９・・・発射レール  ６０・・・制御基板ユニット
６１・・・賞球制御基板ケース  ６２・・・電源基板ケース
６３・・・球通路スペース  ６４・・・球誘導部材
６５・・・賞球通路  ６６・・・球排出通路
６７・・・排出口  ６８・・・アウト球経路
６９・・・セーフ球経路  ７８・・・球抜き用経路
７９・・・球抜き装置  ８０・・・上側球通路
８２・・・  下側球通路  ８４・・・配線孔
Ｋ・・・制御基板  Ｃ・・・制御基板ケース
１７４・・・凸型端子  １７６・・・凹型端子
【図１】
2004208737.tif 000003
【図２】
2004208737.tif 000004
【図３】
2004208737.tif 000005
【図４】
2004208737.tif 000006
【図５】
2004208737.tif 000007
【図６】
2004208737.tif 000008
【図７】
2004208737.tif 000009
【図８】
2004208737.tif 000010
【図９】
2004208737.tif 000011
【図１０】
2004208737.tif 000012
【図１１】
2004208737.tif 000013
【図１２】
2004208737.tif 000014
【図１３】
2004208737.tif 000015
【図１４】
2004208737.tif 000016
【図１５】
2004208737.tif 000017
【図１６】
2004208737.tif 000018